(57)【特許請求の範囲】
【請求項１】
連通管を介して掃除機本体と接続する吸込具本体と、前記吸込具本体の底面前方に形成され前記連通管と連通する吸込口と、前記吸込具本体の外周に設けられた軟質材よりなるバンパーと、軟質材で形成され前記バンパーと一体的に設けられ前記バンパーより清掃面側に垂下し、上部に空気取り入れ口を設け、清掃面側に噴出口を設けた通風路とを備え、前記通風路のバンパー側の壁面に、清掃面と接触するような位置に垂下したスカート部を設け、吸込具本体を前進・後進させたとき、清掃面の抵抗により前記スカート部が吸込具本体の進行方向に対し反対方向に曲げられ、該スカート部と一体的に形成された通風路も同じ方向に曲げられることにより、該スカート部の動きに対応して噴出口が変動することを特徴とする電気掃除機用吸込具。
【請求項２】
前記スカート部と噴出口との間にリブを設けたことを特徴とする請求項１記載の電気掃除機用吸込具。
【発明の詳細な説明】
【０００１】
【発明の属する技術分野】
本発明は、電気掃除機の吸込具に係り、特に床面に風を吹き付ける開口を備えた電気掃除機の吸込具に関するものである。
【０００２】
【従来の技術】
従来より、ごみ吸い込み性能を上げる目的で、吸込具における吸込風流を床面に衝突させ、ごみを掻き上げる方法がある。
【０００３】
図１７、図１８、図１９、図２０は、例えば特開昭５４−１５８０６６号公報に開示されいる従来の電気掃除機用吸込具の例を示す図であり、図１７は断面図、図１８は正面図、図１９は底面図、図２０は斜視図である。図において、１は吸込具本体で、掃除機本体１１とホース１２、パイプ１３を介して接続される連通管２が止め具３より回転自在に取り付けられている。４は吸込具本体１前方に設けたそり部であり、その中央には吸込口５を有し、吸込口５の左右には長溝の吸込通路６が設けられている。７は吸込口５及び吸込通路６の前方に連通されたスリット状の通風路であり、吸込具本体１の長手方向に数個独立して設けられている。また、通風路７は吸込口５の中央部長手方向両端に至るに従いその孔面積は大きくなっている。
【０００４】
８は吸込具本体１の外周に設けられた緩衝材のバンパー、９は吸込具本体１の底面に左右に設けたローラー、１０は吸込口４の後方に設けた植毛であり、掃除の時、吸込具本体１の裏面が床面と接触してキズつけることを防いでいる。
【０００５】
上記構成により床面の掃除を行うと、そり部４下面及びスリット状の通風路７から流入した空気流が合流し床面の深部などへ衝突する。この気流によりごみを掻き上げて吸引するので、掃除能力を向上させることができる。
【０００６】
【発明が解決しようとする課題】
上記のように構成された従来の電気掃除機用吸込具においては、吸込具本体１に入り込む吸引風を吸込具本体１に形成した通風路７により床面に衝突させて床面にあるごみをその衝突風にて掻き上げて吸塵性能を上げようとしている。床面がじゅうたんである場合は、じゅうたんの毛の内部に入り込んだ塵埃を掻き出すためにスリット状の通風路７をじゅうたんの毛に近づける必要がある。
【０００７】
しかしながら、従来のようにケース部材である吸込具本体１に通風路７を形成したのでは吸込具本体１が剛体であるため、じゅうたんに通風路７の出口を近づけたとき、じゅうたんの種類によっては毛の長さが異なるので、通気孔７の開口が塞がれてしまう場合があり、十分な掻き上げ性能が得られないという問題点がある。
【０００８】
この発明は、上述のような課題を解決するためになされたもので、じゅうたん内部の塵埃を衝突風の生じる通風路７にて掻き出す効果を向上させるために通風路７をじゅうたんに近づけることができ、かつ種々の毛の長さのじゅうたんに対しても通風路を塞ぐことなく常に安定した掻き上げ性能を得るようにするものである。
【０００９】
【課題を解決するための手段】
この発明に係る電気掃除機用吸込具は、連通管を介して掃除機本体と接続する吸込具本体と、前記吸込具本体の底面前方に形成され前記連通管と連通する吸込口と、前記吸込具本体の外周に設けられた軟質材よりなるバンパーと、軟質材で形成され前記バンパーと一体的に設けられ前記バンパーより清掃面側に垂下し、上部に空気取り入れ口を設け、清掃面側に噴出口を設けた通風路とを備え、前記通風路のバンパー側の壁面に、清掃面と接触するような位置に垂下したスカート部を設け、吸込具本体を前進・後進させたとき、清掃面の抵抗により前記スカート部が吸込具本体の進行方向に対し反対方向に曲げられ、該スカート部と一体的に形成された通風路も同じ方向に曲げられることにより、該スカート部の動きに対応して噴出口が変動するものである。
【００１０】
また、前記スカート部と前記噴出口との間にリブを設けたものである。
【００１２】
【発明の実施の形態】
実施の形態１．
図１はこの発明の実施形態１に係る電気掃除機用吸込具の内部構造を示す側方からの断面図、図２は上面図、図３は正面図、図４は下面図である。図中、従来例と同一または相当する部分には同一符号を付し説明は省略する。なお、吸込具本体１の略中央部には従来例同様、掃除機本体１１とホース１２、パイプ１３を介して接続される連通管２が設置されているものとする。
【００１３】
図において、１４は吸込具本体１の上ケース、１５は下ケースである。１６は吸込具本体１内部の長手方向中央部に設けた仕切壁であり、前方が吸込室１７となっている。下ケース１５の吸込室１７には吸込口４が形成されている。１８は吸込具本体１の外周部に配置されたバンパーであり、壁、家具などにぶつかった際にキズをつけないように軟質材料により形成されている。１９は軟質材料で形成された通風路であり、バンパー１８と一体的に形成されている。１９ａは通風路１９の吸込具本体１上面側に形成された空気取入口、１９ｂは清掃面側に設けた噴出口である。２０は起毛布を外周に接着した起毛布ローラーであり、吸込口５の後方に配設されている。起毛布ローラー２０ーの軸受け部には回転を規制するトルクリミッターが内蔵されており板床の時には吸込具本体１の移動速度よりもゆっくり回転して拭き機能が得られるようになっている。
【００１４】
通風路１９は、図１、図２、図３に示すように複数個設けられており、吸込具本体１の前側に床面に対して垂直に形成されている。通風路１９の断面形状は円、四角、長穴などのいかなる形状でもよい。また、各通風路１９の通風路はそれぞれ独立した形状でも複数個が合体した形状になっていてもよい。
【００１５】
掃除機本体の吸引動作にともない吸込具本体１の吸込口５より床面のごみとともに周辺空気を吸込む。その時に吸込具本体１前面にある通風路１９からも周辺空気は吸引され、この吸引風は通風路１９に導かれて床面に衝突し、その衝突風によりごみが掻き上げられて連通管２へ流れ込む。
【００１６】
しかしながら、ごみ掻き上げ機能の性能を十分に引き出すためには、通風路１９の床面側の口部をごみのある床面部に近づける必要がある。そこで、図５、図６、図７を用いて説明する。図５は吸込具本体１をじゅうたん上に載置した状態を示す図、図６は吸込具本体１を前進させた時の通風路１９の状態を示す図、図７は吸込具本体１を後進させた時の通風路１９の状態を示す図である。
【００１７】
図に示すように、実施の形態１によれば、通風路１９は軟質材料で形成されているので、吸込具本体１を前進・後進させたとき、じゅうたんの抵抗により通風路１９は吸込具本体１の進行方向に対し反対方向に曲げられる。この変形により通風路１９の床面側の口部はじゅうたんの毛の上に出るため、吸込具本体１を前後に動作していれば、通風路１９の開口を塞ぐことは防止できる。したがって、通風路１９を通過した吸引風は常にじゅうたんの毛の中にあるごみに衝突して掻き上げることができる。
【００１８】
実施の形態２．
図８はこの発明の実施形態２に係る電気掃除機用吸込具を示す断面図、図９は正面図、図１０は底面図である。図において、実施の形態１と同一または相当する構成には同一符号を付し説明は省略する。２１は通風路１９のバンパー１８側壁面を床面と略接触するように垂下したスカート部である。
【００１９】
スカート部２１は板状の床面上では床面と吸込具本体１の隙間をある一定間隔にして吸込口５の負圧を保つように構成している。また、じゅうたん上ではじゅうたんの毛の中に入り込むように構成されている。
【００２０】
図１１は吸込具本体１をじゅうたん上に載置した状態を示す図、図１２は吸込具本体１の前進時の状態を示す図、図１３は吸込具本体１の後進時の状態を示す図である。実施形態２によれば、じゅうたん上で吸込具本体１を前進・後進させるとスカート部２１がじゅうたんの抵抗により吸込具本体１の進行方向に対して反対方向に曲げられるため、スカート部２１と一体的に形成された通風路１９も同じ方向に変形される。つまり、スカート部２１により吸込具本体１の進行方向が検知されて通風路１９が変形する。これにより、通風路１９の床面側口部は塞がれることなく、通風路１９の衝突風による掻き上げ性能を維持することができる。
【００２１】
実施の形態３．
図１４はこの発明の実施の形態３に係る電気掃除機用吸込具の内部構造を示す図、図１５は吸込具本体をじゅうたん上で前進させた状態を示す図、図１６は下面図である。図において、実施の形態１、２と同一の構成には同一符号を付し説明は省略する。２２はスカート部２１と通風路１９をつなぐ補強リブである。
【００２２】
実施形態３によれば、補強リブ２２により、じゅうたん上の吸込具本体１の前進・後進動作によって生じるスカート部２１の変形を確実に通風路１９へつたえることができる。
【００２３】
【発明の効果】
以上述べたように、床面への衝突風を得る通風路において、床面側の開口部がじゅうたんに埋まるような状態になってもじゅうたんの抵抗により通風路が変形して床面側の口は常にじゅうたん上にでていて風路が確保されるため通風路の通過風による床面への掻き上げ性能を維持することができる。
【００２４】
また、垂下されたスカート部により吸込具の進行方向が検知され、通風路が変形されるため、じゅうたんに床面側の口を塞がれることを防ぐことができる。
【００２５】
また、スカート部と通風路との連動性を補強リブにより向上させるので、確実に通風路の口の風路を確保できる。
【図面の簡単な説明】
【図１】本発明の実施の形態１に係る電気掃除機用吸込具の内部構造を示す断面図である。
【図２】実施の形態１に係る電気掃除機用吸込具の上面図である。
【図３】実施の形態１に係る電気掃除機用吸込具の正面図である。
【図４】実施の形態１に係る電気掃除機用吸込具の底面図である。
【図５】実施の形態１に係る電気掃除機用吸込具のじゅうたん上での状態を示す図である。
【図６】実施の形態１に係る電気掃除機用吸込具のじゅうたん上での前進状態を示す図である。
【図７】実施の形態１に係る電気掃除機用吸込具のじゅうたん上での後進状態を示す図である。
【図８】本発明の実施の形態２に係る電気掃除機用吸込具の内部構造を示す断面図である。
【図９】実施の形態２に係る電気掃除機用吸込具の正面図である。
【図１０】実施の形態２に係る電気掃除機用吸込具の底面図である。
【図１１】実施の形態２に係る電気掃除機用吸込具のじゅうたん上での状態を示す図である。
【図１２】実施の形態２に係る電気掃除機用吸込具のじゅうたん上での前進状態を示す図である。
【図１３】実施の形態２に係る電気掃除機用吸込具のじゅうたん上での後進状態を示す図である。
【図１４】本発明の実施の形態３に係る電気掃除機用吸込具の内部構造を示す断面図である。
【図１５】実施の形態３に係る電気掃除機用吸込具のじゅうたん上での前進状態を示す図である。
【図１６】実施の形態３に係る電気掃除機用吸込具の底面図である。
【図１７】従来の電気掃除機用吸込具の内部構造を示す側方からの断面図である。
【図１８】従来の電気掃除機用吸込具の正面図である。
【図１９】従来の電気掃除機用吸込具の底面図である。
【図２０】従来の電気掃除機用吸込具の斜視図である。
【符号の説明】
１  吸込具本体、２  連通管、５  吸込口、６  吸込通路、７  通風路、
８  バンパー、１１  掃除機本体、１２  ホース、１３  パイプ、
１８  バンパー、１９  通風路、２１  スカート部、２２  補強リブ。
【図１】
0003540552.tif 000002
【図２】
0003540552.tif 000003
【図３】
0003540552.tif 000004
【図４】
0003540552.tif 000005
【図５】
0003540552.tif 000006
【図６】
0003540552.tif 000007
【図７】
0003540552.tif 000008
【図８】
0003540552.tif 000009
【図９】
0003540552.tif 000010
【図１０】
0003540552.tif 000011
【図１１】
0003540552.tif 000012
【図１２】
0003540552.tif 000013
【図１３】
0003540552.tif 000014
【図１４】
0003540552.tif 000015
【図１５】
0003540552.tif 000016
【図１６】
0003540552.tif 000017
【図１７】
0003540552.tif 000018
【図１８】
0003540552.tif 000019
【図１９】
0003540552.tif 000020
【図２０】
0003540552.tif 000021